(57)【要約】【課題】発泡ポリウレタン断熱材と真空断熱材を併用しつつ、断熱箱体の生産性を向上させる。【解決手段】断熱箱体１０１において、開口部１０２の反対側に位置する壁１０５に備えた発泡ポリウレタン断熱材１０６に真空断熱材１０７を配置し、炭化水素系の主発泡剤と、略大気圧での沸点が略室温以下の副発泡剤を用いた成型法で、副発泡剤は発泡成形初期から直ちに発泡を始め、発泡ポリウレタン断熱材１０６の硬化度が低い状態で充填される。このため、真空断熱材１０７等の充填阻害物が存在しても、充填性を向上し、さらに真空断熱材１０７等を内箱１０３や外箱１０４に密着せずに配置することにより、熱移動を円滑にすることで、断熱性能に優れた断熱箱体を短時間で製造できる。【選択図】図１
2012112611.tif 000002
【特許請求の範囲】
【請求項１】
開口部を有し、内箱と金属製の外箱とにより形成される空間に発泡ポリウレタン断熱材が充填され、前記開口部の反対側の壁に前記内箱と前記外箱のどちらにも密着しないように前記発泡ポリウレタン断熱材に埋没した真空断熱材を有する断熱箱体であって、前記発泡ポリウレタン断熱材は、炭化水素系の主発泡剤と、略大気圧での沸点が略室温以下の副発泡剤を用いて発泡成形したことを特徴とする断熱箱体。
【請求項２】
主発泡剤がシクロペンタン、副発泡剤が二酸化炭素であることを特徴とする請求項１に記載の断熱箱体。
【請求項３】
開口部を上方にした姿勢での外箱の側壁下方に発泡ポリウレタン断熱材の注入口を備えたことを特徴とする請求項１または２に記載の断熱箱体。
【請求項４】
請求項１から３のいずれか一項に記載の断熱箱体の開口部を収納空間とし前記収納空間を冷却する冷却手段を備え、真空断熱材は壁内の外箱寄りに配置したことを特徴とする冷蔵庫。
【発明の詳細な説明】
【技術分野】
【０００１】
本発明は、断熱箱体とそれを用いた冷蔵庫に関するものである。
【背景技術】
【０００２】
近年、地球環境保護の観点から、熱エネルギーを効率的に利用する技術開発に対する社会的要望が高まっている。このような背景から、産業界では積極的に省エネルギー対策が組織的に実施されている。
【０００３】
一方、一般家庭では各種啓蒙活動など、省エネルギーへの関心や理解が広まりつつあり、家庭電化製品や自動車に関して省エネルギー性能が、機器の本質的な性能や価格などとともに商品選択理由の重要な因子になっている。
【０００４】
冷蔵庫は、家庭電化製品の中で空気調和機とともに代表的な熱エネルギー消費製品であり、これらの製造者は、これら製品の省エネルギー化を図るべく、改良設計や要素技術開発に注力している。
【０００５】
設計面では、温度帯の異なる冷蔵室、冷凍室、野菜室等の配置を最適化することで、冷却効率の向上が図られている。一方、要素技術としては、圧縮機のインバーター制御技術や高性能断熱材である真空断熱材の開発などで成果を挙げている。
【０００６】
真空断熱材を冷蔵庫等の断熱箱体に適用して断熱性能を向上するためには、断熱箱体の表面積に対して、如何に被覆率を大きくできるかが重要である。とくに真空断熱材は柔軟性に乏しいものが多く、断熱箱体の屈曲部などの形状に沿って配置することが困難な場合がある。
【０００７】
これらの解決手段として、真空断熱材の芯材材料の改良や構成部品を工夫することで、折り曲げ性や形状保持性を改良したものが提案されている（例えば、特許文献１参照）。
【０００８】
図３は、特許文献１に記載された真空断熱材を角部に配置した断熱箱体の要部断面図である。図３に示すように、真空断熱材１は断熱箱体の壁の角部の内箱２面の形状に沿って密着するように配置されている。
【０００９】
この真空断熱材１は、ガスバリア性を有する外被材３中に、結合剤を含まない無機繊維重合体を所定の厚さを有する複数の芯材層４ａ，４ｂで形成された芯材４を、芯材層４ａ，４ｂの間に配置して真空断熱材１の曲げ状態を保持可能な変形保持部材５と共に収納し、所定の真空度にて真空封止して構成されている。
【００１０】
また、断熱箱体の壁は、真空断熱材１と、内箱２面および外箱６面と接着可能な、それ自身に接着力を有する発泡ポリウレタン断熱材７等で構成されている。
【００１１】
この真空断熱材１は、生産性を考慮して平面形状で製造されるが、断熱箱体の壁の曲げ部に組み込む際には、内箱２面に沿うように曲げ加工を施すが、変形保持部材５を備えているので、所定の角度に曲げても芯材層４ａ，４ｂを構成する無機繊維重合体が破壊する程度が少なく、外被材３の損傷も少ない。これによって、曲げ部であっても真空断熱材１を配置することができ、断熱箱体の断熱性能を向上できる。
【先行技術文献】
【特許文献】
【００１２】
【特許文献１】特開２００７−５６９７４号公報
【発明の概要】
【発明が解決しようとする課題】
【００１３】
しかしながら、断熱箱体の壁内で発泡ポリウレタン断熱材７と真空断熱材１を併用する場合、真空断熱材１を内箱２または外箱６面に密着させて多用すると、発泡ポリウレタン断熱材７の充填性が低下する。
【００１４】
これは、発泡ポリウレタン断熱材７は、液状のポリオールを基本原料とし、これに発泡剤、整泡剤、発泡触媒などの存在下で、ポリイソシアネートと化学反応させて得られるものであり、断熱箱体の一部に設けられた注入口から、これらの混合液体を注入し、断熱箱体の壁内で発泡（膨張）充填と硬化が進行して成型される。
【００１５】
つまり、真空断熱材１が多用されると、断熱箱体の壁の断面形状が複雑になり、発泡充填の阻害物となり、充填不良の原因となる。
【００１６】
また、当該成型法では、断熱箱体は所定温度に加温された金型内に設置して反応条件を安定化するが、内箱２または外箱６面に断熱性能に優れた真空断熱材１を配置すると、発泡ポリウレタン断熱材７の反応場に円滑な熱供給ができないことに加え、当該反応により発生する熱が断熱箱体の壁から外部に放熱しにくくなり、壁内に蓄積されず、熱応力が大きく金型から取り出すまでに長時間を要するという課題があった。
【００１７】
本発明は、上記従来の課題を解決するものであり、断熱箱体の壁内に真空断熱材が存在しても、発泡ポリウレタン断熱材の充填性に優れ、生産効率を向上できる断熱箱体を提供することを目的とする。
【課題を解決するための手段】
【００１８】
上記目的を達成するために、本発明の断熱箱体は、開口部を有し、内箱と金属製の外箱とにより形成される空間に発泡ポリウレタン断熱材が充填され、前記開口部の反対側の壁に前記内箱と前記外箱のどちらにも密着しないように前記発泡ポリウレタン断熱材に埋没した真空断熱材を有する断熱箱体であって、前記発泡ポリウレタン断熱材は、炭化水素系の主発泡剤と、略大気圧での沸点が略室温以下の副発泡剤を用いて発泡成形したのである。
【００１９】
上記構成において、副発泡剤は発泡成形初期から直ちに発泡し始め、発泡ポリウレタン断熱材の粘性が低い状態で、内箱と外箱との間の壁内を膨張しながら充填される。このため、真空断熱材のような充填阻害物があったとしても、円滑に充填される。
【００２０】
さらに真空断熱材を内箱や外箱に密着せずに配置することにより、充填が円滑に行われ、発泡ポリウレタン断熱材の反応により発生する熱が断熱箱体の壁から外部に放熱されやすく、金型から取り出すまでの時間を短くできる。これらにより、発泡ポリウレタン断熱材の充填性に優れ、生産効率を向上できる断熱箱体を提供できる。
【発明の効果】
【００２１】
本発明は、発泡ポリウレタン断熱材の充填性に優れ、生産効率を向上できる断熱箱体を提供できる。
【図面の簡単な説明】
【００２２】
【図１】本発明の実施の形態１の開口部を上にした状態の断熱箱体の縦断面図
【図２】本発明の実施の形態２における冷蔵庫の縦断面図
【図３】従来の真空断熱材を角部に配置した断熱箱体の要部断面図
【発明を実施するための形態】
【００２３】
第１の発明は、開口部を有し、内箱と金属製の外箱とにより形成される空間に発泡ポリウレタン断熱材が充填され、前記開口部の反対側の壁に前記内箱と前記外箱のどちらにも密着しないように前記発泡ポリウレタン断熱材に埋没した真空断熱材を有する断熱箱体であって、前記発泡ポリウレタン断熱材は、炭化水素系の主発泡剤と、略大気圧での沸点が略室温以下の副発泡剤を用いて発泡成形したことを特徴とする断熱箱体である。
【００２４】
上記構成において、副発泡剤は発泡成形初期から直ちに発泡し始め、発泡ポリウレタン断熱材の粘性が低い状態で、内箱と外箱との間の壁内を膨張しながら充填される。このため、真空断熱材のような充填阻害物があったとしても、低沸点の発泡剤を用いることで、円滑に発泡ポリウレタン断熱材が充填され、発泡ポリウレタン断熱材の充填性を向上する。
【００２５】
さらに真空断熱材を内箱や外箱に密着せずに配置することにより、充填が円滑に行われ、発泡ポリウレタン断熱材の反応により発生する熱が断熱箱体の壁から外部に放熱されやすく、金型から取り出すまでの時間を短くできる。
【００２６】
これらにより、発泡ポリウレタン断熱材の充填性に優れ、生産効率を向上できる断熱箱体を提供できる。
【００２７】
第２の発明は、特に、第１の発明において、主発泡剤がシクロペンタン、副発泡剤が二酸化炭素であることを特徴とするものである。
【００２８】
これらは、汎用的に使用されている発泡剤の中でもオゾン破壊係数がゼロで、地球温暖化係数が低く、環境に優しい発泡剤である。さらに、シクロペンタンは比較的熱伝導率が低く、高性能発泡断熱材を製造できる。さらに、二酸化炭素は、略大気圧における沸点が氷点下７９℃であり、非常に気化しやすい発泡剤である。
【００２９】
このため、発泡ポリウレタン断熱材の発泡効率が向上し、反応初期の粘度が低い状態で膨張する。このため、断熱箱体の壁内で真空断熱材等の充填阻害物が存在しても、低沸点の二酸化炭素を発泡剤として用いることで、発泡ポリウレタン断熱材の充填性をさらに向上し、真空断熱材を内箱や外箱に密着せずに配置することにより、熱移動を円滑にすることで、断熱性能に優れた断熱箱体を短時間で製造できる。
【００３０】
第３の発明は、特に、第１または第２の発明において、開口部を上方にした姿勢での外箱の側壁下方に発泡ポリウレタン断熱材の注入口を備えたものである。
【００３１】
上記構成により、開口部の反対側に位置する真空断熱材を備えた壁は底面側の姿勢になり、注入口から供給された発泡ポリウレタン断熱材の液状原料は、外箱上面と真空断熱材上面を膨張、充填することになる。
【００３２】
外箱上面は、断熱箱体外部から供給される熱を熱源として円滑に反応は進行するが、真空断熱材上面の原料は、壁内の対流伝熱のみで熱供給されるので温度が不安定であるが、少なくとも副発泡剤は略常温では気体になるので、発泡は可能である。
【００３３】
このことから、断熱箱体の壁内で真空断熱材の充填阻害物が存在しても、低沸点の二酸化炭素を発泡剤として用いることで、発泡ポリウレタン断熱材の充填性をさらに向上し、
真空断熱材を内箱や外箱に密着せずに配置することにより、熱移動を円滑にすることで、断熱性能に優れた断熱箱体を短時間で製造できる。
【００３４】
第４の発明は、特に、第１〜３のいずれか１つの発明の断熱箱体の開口部を収納空間とし前記収納空間を冷却する冷却手段を備え、真空断熱材は壁内の外箱寄りに配置した冷蔵庫である。
【００３５】
上記構成により、真空断熱材の下方の方が充填速度は速くなる。これにより、発泡ポリウレタン断熱材の気泡は、膨張方向に伸びた形状となる。この結果、壁の厚み方向に垂直な樹脂部における伝熱方向の伝熱経路は、内箱側と比較して長くなる。
【００３６】
一方、断熱箱体の開口部により構成される収納空間は冷却手段によって冷却されているので、壁における温度は、内箱側が低く、外箱側が高くなる。故に外箱側の気泡内の気体分子運動が激しくなって伝熱量が増大傾向にある、樹脂部の伝熱経路が長くなっているので断熱性能の増減は相殺されている。
【００３７】
このとから、冷蔵庫壁内で真空断熱材の充填阻害物が存在しても、発泡ポリウレタン断熱材の充填性をさらに向上し、真空断熱材を内箱や外箱に密着せずに配置することにより、熱移動を円滑にすることで、断熱性能に優れた冷蔵庫を短時間で製造できる。
【００３８】
以下、本発明の実施の形態について、図面を参照しながら説明する。なお、本実施の形態によって、本発明が限定されるのもではない。
【００３９】
（実施の形態１）
図１は、本発明の実施の形態１における断熱箱体の断面図である。
【００４０】
図１に示すように、断熱箱体１０１は、凹状の開口部１０２を形成した内箱１０３と外箱１０４を有する。内箱１０３は、ＡＢＳ、ポリスチレンなど樹脂製やステンレス製である。一方、外箱１０４は、鉄鋼板またはステンレス鋼板製である。内箱１０３と外箱１０４で形成される壁１０５内には、発泡ポリウレタン断熱材１０６と、その内部に埋設された真空断熱材１０７を有する。
【００４１】
真空断熱材１０７の埋設箇所および枚数はとくに限定するものではないが、真空断熱材１０７は、少なくとも開口部１０２の反対側に位置する壁１０５には備えられ、発泡樹脂製のスペーサー１０８を介して外箱１０４に固定されている。
【００４２】
スペーサー１０８は、発泡ポリウレタン断熱材１０６が膨張しながら壁１０５内部に円滑に充填されるように、真空断熱材１０７がその重々で反ったりしない程度に支持できる大きさ円柱あるいは立方体、直方体などの形状が好ましい。
【００４３】
断熱箱体１０１の製造方法として、一般に開口部１０２を下向きにして金型１０９内に設置し、上方から略鉛直方向に発泡ポリウレタン断熱材１０６の液状原料を壁１０５に注入するオープンサイドダウン式と、逆に開口部１０２を上向きにし、側面から略水平方向に注入するオープンサイドアップ式がある。いずれの方法で製造するかは目的に応じて選択すればよい。
【００４４】
例えば、製造設備を安価に構成しようとすると、金型１０９を固定式とし、発泡ポリウレタン断熱材１０６の液状原料の注入口１１０は、断熱箱体１０１の外箱１０４の側壁に設けるとよい。注入口１１０の数は、一つでも複数でも良いが、製造設備を安価にするためには、注入口１１０は一つにすると、注入設備も少なくできる。
【００４５】
発泡ポリウレタン断熱材１０６は、発泡剤、整泡剤、触媒、水などを予め混合されたポリオール混合液と、硬化剤であるポリイソシアネートを反応させることで得られる。
【００４６】
本実施の形態１では、発泡剤として主発泡剤のシクロペンタンを、副発泡剤として二酸化炭素を用いている。これらは、汎用的に使用されている発泡剤の中でもオゾン破壊係数と地球温暖化係数が低く、地球環境に優しい発泡剤である。
【００４７】
さらに、シクロペンタンは気体熱伝導率が１１．９８Ｗ／ｍＫと、過去のＣＦＣやＨＣＦＣ系発泡剤には劣るが、炭化水素系発泡剤では比較的低く、対環境性に優れた高性能断熱材を製造できる。しかしながら、シクロペンタンは、略大気圧での沸点が４９℃であり、略常温では蒸気圧分しか気化しない。故に、大方のシクロペンタンは、ポリオールとポリイソシアネートのウレタン反応によって発生する熱を熱源として気化する。これがポリウレタン断熱材の発泡である。
【００４８】
一方、二酸化炭素は、略大気圧での沸点が氷点下７９℃であり、非常に気化しやすい。つまり、ウレタン反応の初期段階の硬化があまり進んでない状態で発泡が進行する。故に、壁１０５内に真空断熱材１０７のような充填阻害物があったとしても、発泡ポリウレタン断熱材１０６の形状自由度が高く、円滑に充填されていくことができる。
【００４９】
発泡ポリウレタン断熱材１０６が充填された断熱箱体１０１は、発泡ポリウレタン断熱材１０６が十分に硬化したあと、金型１０９から取り出される。前述したように、ウレタン反応は発熱反応であり、製造過程における発泡ポリウレタン断熱材１０６の中心温度は、１００℃以上になる。
【００５０】
このとき、発泡ポリウレタン断熱材１０６の気泡内は大気圧以上の圧力を示すようになり、短時間で金型１０９から取り出すと、その圧力に発泡ポリウレタン断熱材１０６および内箱１０３、外箱１０４の機械強度が不足し、変形してしまう。故に、金型１０９内に所定時間静置する必要がある。
【００５１】
このとき、断熱性能が高い真空断熱材１０７を内箱１０３または外箱１０４に密着することなく配置しているので、発泡ポリウレタン断熱材１０６内の熱を円滑に外部に放熱できる。
【００５２】
以上のように構成された本実施の形態の断熱箱体１０１は、開口部１０２を有し、内箱１０３と金属製の外箱１０４とにより形成される空間に発泡ポリウレタン断熱材１０６が充填され、開口部１０２の反対側の壁１０５に内箱１０３と外箱１０４のどちらにも密着しないように発泡ポリウレタン断熱材１０６に埋没した真空断熱材１０７を有する断熱箱体１０１であって、発泡ポリウレタン断熱材１０６は、炭化水素系の主発泡剤と、略大気圧での沸点が略室温以下の副発泡剤を用いて発泡成形した断熱箱体１０１である。
【００５３】
上記構成において、副発泡剤は発泡成形初期から直ちに発泡し始め、発泡ポリウレタン断熱材１０６の粘性が低い状態で、内箱１０３と外箱１０４との間の壁１０５内を膨張しながら充填される。このため、真空断熱材１０７のような充填阻害物があったとしても、低沸点の発泡剤を用いることで、円滑に発泡ポリウレタン断熱材１０６が充填され、発泡ポリウレタン断熱材１０６の充填性を向上する。
【００５４】
さらに真空断熱材１０７を内箱１０３や外箱１０４に密着せずに配置することにより、充填が円滑に行われ、発泡ポリウレタン断熱材１０６の反応により発生する熱が断熱箱体１０１の壁１０５から外部に放熱されやすく、金型１０９から取り出すまでの時間を短く
できる。これらにより、発泡ポリウレタン断熱材１０６の充填性に優れ、生産効率を向上できる断熱箱体１０１を提供できる。
【００５５】
また、本実施の形態では、発泡ポリウレタン断熱材１０６の主発泡剤にシクロペンタン、副発泡剤に二酸化炭素を用いているが、これらは、汎用的に使用されている発泡剤の中でもオゾン破壊係数がゼロで、地球温暖化係数が低く、環境に優しい発泡剤である。さらに、シクロペンタンは比較的熱伝導率が低く、高性能発泡断熱材を製造できる。さらに、二酸化炭素は、略大気圧における沸点が氷点下７９℃であり、非常に気化しやすい発泡剤である。
【００５６】
このため、発泡ポリウレタン断熱材１０６の発泡効率が向上し、反応初期の粘度が低い状態で膨張する。このため、断熱箱体１０１の壁１０５内で真空断熱材１０７等の充填阻害物が存在しても、低沸点の二酸化炭素を発泡剤として用いることで、発泡ポリウレタン断熱材１０６の充填性をさらに向上し、真空断熱材１０７を内箱１０３や外箱１０４に密着せずに配置することにより、熱移動を円滑にすることで、断熱性能に優れた断熱箱体１０１を短時間で製造できる。
【００５７】
また、本実施の形態では、開口部１０２を上方にした姿勢での外箱１０４の側壁下方（開口部１０２を前方にした冷蔵庫として用いる姿勢での外箱１０４の底面の背面寄り）に発泡ポリウレタン断熱材１０６の注入口１１０を備えたものである。
【００５８】
上記構成により、開口部１０２の反対側に位置する真空断熱材１０７を備えた壁１０５は底面側の姿勢になり、注入口１１０から供給された発泡ポリウレタン断熱材１０６の液状原料は、外箱１０４上面と真空断熱材１０７上面を膨張、充填することになる。
【００５９】
外箱１０４上面は、断熱箱体１０１外部から供給される熱を熱源として円滑に反応は進行するが、真空断熱材１０７上面の原料は、壁１０５内の対流伝熱のみで熱供給されるので温度が不安定であるが、少なくとも副発泡剤は略常温では気体になるので、発泡は可能である。
【００６０】
このことから、断熱箱体１０１の壁１０５内で真空断熱材１０７の充填阻害物が存在しても、低沸点の二酸化炭素を発泡剤として用いることで、発泡ポリウレタン断熱材１０６の充填性をさらに向上し、真空断熱材１０７を内箱１０３や外箱１０４に密着せずに配置することにより、熱移動を円滑にすることで、断熱性能に優れた断熱箱体１０１を短時間で製造できる。
【００６１】
（実施の形態２）
図２は、本発明の実施の形態２における冷蔵庫の断面図である。なお、本発明の実施の形態１と同一構成については、詳細な説明は省略する。
【００６２】
図２に示すように、冷蔵庫２０１は、断熱箱体２０２と、断熱箱体２０２の上下２つの開口部２０３を開閉する断熱扉２０４を備えている。断熱箱体２０２の開口部２０３の反対側の壁２０５内には、発泡ポリウレタン断熱材１０６と真空断熱材２０６を備え、真空断熱材２０６はスペーサー１０８を介して外箱１０４寄りに配置している。
【００６３】
機械室２０７には圧縮機２０８と凝縮器２０９を備え、開口部２０３の奥に配置された蒸発器２１０と配管接続された閉回路の冷却手段２１１を構成している。冷却手段２１１（蒸発器２１０）で冷却された冷気は、図示しない送風機で、上側の開口部２０３を収納空間とする冷蔵室２１２と、下側の開口部２０３を収納空間とする冷凍室２１３とに送られて、冷蔵室２１２と冷凍室２１３を冷却する。冷蔵室２１２と冷凍室２１３は通気口２
１４を介して通じている。
【００６４】
この断熱箱体２０２に発泡ポリウレタン断熱材１０６をオープンサイドアップ式で注入充填する場合、開口部２０３の反対側の壁２０５内で発泡ポリウレタン断熱材１０６は、真空断熱材２０６上面と内箱１０３の間と、真空断熱材２０６下面と外箱１０４の間の二つの空間に分かれて充填される。
【００６５】
真空断熱材２０６は開口部２０３の反対側の壁２０５内で外箱１０４寄りに配置しているので、真空断熱材２０６の上下における発泡ポリウレタン断熱材１０６の充填速度は、下方が上方より速くなる。このことから、最終的に形成される気泡形状は、下方は上方の気泡と比較して、充填（壁厚と略垂直）方向に伸びた形状となる。壁２０５の伝熱は、壁厚方向であるため、発泡ポリウレタン断熱材１０６の樹脂骨格による伝熱経路は長くなる。
【００６６】
一方、冷蔵庫２０１を運転した場合、冷蔵室２１２は略１０℃以下、冷凍室２１３は略氷点下１８℃以下に制御されるので、外気温度よりも低くなる。発泡ポリウレタン断熱材１０６は、温度低下により気泡内の気体分子運動が低下することにより、断熱性能は向上する。
【００６７】
つまり、壁２０５内でも内箱１０３近傍と外箱１０４近傍では、気泡内の伝熱量に起因する断熱性能に差異が生じ、外箱１０４近傍が不利になる。しかしながら、上述したように、気泡形状では外箱１０４近傍は有利になっているので、全体的には相殺されて、発泡ポリウレタン断熱材１０６の全体的な断熱性能は略一様になる。
【００６８】
以上のように構成された本実施の形態の冷蔵庫２０１は、実施の形態１の断熱箱体１０１と同様の構成の断熱箱体２０２の開口部２０３を収納空間とした冷蔵室２１２と冷凍室２１３を冷却する冷却手段を２１１備え、真空断熱材２０６は壁２０５内の外箱１０４寄りに配置した冷蔵庫２０１である。
【００６９】
上記構成により、真空断熱材２０６の下方の方が充填速度は速くなる。これにより、発泡ポリウレタン断熱材１０６の気泡は、膨張方向に伸びた形状となる。この結果、壁２０５の厚み方向に垂直な樹脂部における伝熱方向の伝熱経路は、内箱１０３側と比較して長くなる。
【００７０】
一方、断熱箱体２０２の開口部２０３により構成される収納空間（冷蔵室２１２と冷凍室２１３）は冷却手段２１１によって冷却されているので、壁２０５における温度は、内箱１０３側が低く、外箱１０４側が高くなる。故に外箱１０４側の気泡内の気体分子運動が激しくなって伝熱量が増大傾向にある、樹脂部の伝熱経路が長くなっているので断熱性能の増減は相殺されている。
【００７１】
このとから、冷蔵庫２０１の壁２０５内で真空断熱材２０６の充填阻害物が存在しても、発泡ポリウレタン断熱材１０６の充填性をさらに向上し、真空断熱材２０６を内箱１０３や外箱１０４に密着せずに配置することにより、熱移動を円滑にすることで、断熱性能に優れた冷蔵庫２０１を短時間で製造できる。
【産業上の利用可能性】
【００７２】
以上のように、本発明にかかる断熱箱体および冷蔵庫は、発泡ポリウレタン断熱材と真空断熱材を壁内に併用したものであり、発泡成形後の発泡ポリウレタン断熱材の温度低下を短時間で行うと同時に、発泡剤に低沸点成分を適用して発泡ポリウレタン断熱材の充填性を向上したものである。このため、プレハブ住宅など建材用断熱パネルにも適用するこ
とができる。
【符号の説明】
【００７３】
１０１  断熱箱体
１０２  開口部
１０３  内箱
１０４  外箱
１０５  壁
１０６  発泡ポリウレタン断熱材
１０７  真空断熱材
１１０  注入口
２０１  冷蔵庫
２０２  断熱箱体
２０３  開口部
２０６  真空断熱材
２１１  冷却手段
【図１】
2012112611.tif 000003
【図２】
2012112611.tif 000004
【図３】
2012112611.tif 000005